(57)【要約】【課題】基部と機器間の双方向データ送信を備えた家庭用電気システム。【解決手段】本発明は、家庭用電気システムに関するものであって、例えばアイロン掛け用であり、アイロンなどの機器を備え、少なくとも下記を含むコードで基部（ベース）に接続されている、家庭用電気システムであり、・加熱電力の高電圧（ＨＶ）送電用の第１導線セットで形成された第１電線、・該機器内に配置された電子基板の低電圧（ＬＶ）電力供給のための第２導線セットによって形成された第２電線・該基部と該機器間の双方向データ送信を提供するための第３電線；ここで、第３電線は第２導線セットによって形成されており；該システムは、第２電線と第３電線、または排他的に第３電線をアクティブ化するために、第２導線セットを通る電圧および／または電流循環を変調するのに適した変調器をさらに含むことを特徴とする、家庭用電気システム。【選択図】図１
2020531208.tif 000002
【特許請求の範囲】
【請求項１】
家庭用電気システムであって、例えばアイロン掛け用であり、アイロンなどの機器を備え、少なくとも下記を含むコードで基部（ベース）に接続されている、家庭用電気システムであり、
・該機器の動作電力のＨＶ（高電圧）送電用の第１導線セットで形成された第１電線、
・該機器内に配置された回路基板への電力のＬＶ（低電圧）供給のための第２導線セットによって形成された第２電線
・該基部と該機器間の双方向データ送信を提供するための第３電線；
ここで、第３電線は第２導線セットによって形成されていることを特徴とし；該システムは、第２電線と第３電線、または専ら第３電線をアクティブ化するために、第２導線セットを通る電圧および／または電流を変調することに適した変調器をさらに含む、
家庭用電気システム。
【請求項２】
前記基部が蒸気発生器を含む、請求項１に記載のシステム。
【請求項３】
前記機器は、電源を含み、
該電源は、前記基部から独立しており、第２電線が非アクティブ化したときに前記機器の前記回路基板に電力を供給することに適している、
請求項１または２に記載のシステム。
【請求項４】
前記機器は、少なくとも１つのアクチュエータを含み、
該アクチュエータは、前記基部の動作を制御するために手動でアクティブ化され得る、
請求項１〜３のいずれか１項に記載のシステム。
【請求項５】
データが前記基部から前記機器へ、およびその逆に送信されることを特徴とし、請求項１〜４のいずれか１項に定義されるようなテキスタイルを処理するためのシステムの使用。
【請求項６】
蒸気発生器を用い、該発生器の圧力は前記機器から調整される、請求項５に記載の使用。
【請求項７】
前記機器の前記動作電力が、前記機器から調整される、請求項５または６に記載の使用。
【発明の詳細な説明】
【技術分野】
【０００１】
本発明は、家庭用電気システム、特に、コードによって基部（ベース）に接続されたアイロンなどの機器を含むアイロン掛けシステムに関する。より具体的には、コードに沿った双方向データ送信に関する。
【背景技術】
【０００２】
ほとんどの既存のアイロン掛けシステムにおいては、コードは、加熱電力の高電圧（ＨＶ）送電用の導線セットで形成された第１電線と、アイロン内に、通常はハンドルに配置された回路基板への低電圧（ＬＶ）電力供給用の別の導線セットで形成された第２電線とを備えている。
【０００３】
ＨＶは、アイロンを加熱する為に要求される電圧を指すもので、たとえば２２０Ｖ  ＡＣである。
【０００４】
ＬＶは、回路基板に電力を供給する為に、または基部とアイロン間の双方向通信を提供する為に十分な電圧を指すもので、たとえば５Ｖまたは１２Ｖ  ＤＣである。
【０００５】
基部が蒸気発生機を含む場合、コードは蒸気を運ぶための柔軟なホースを含む。
【０００６】
いくつかの従来技術のシステムにおいては、ユーザーは該発生機の特定の動作パラメータ、例えば圧力を変更できる。しかしながら、これらのパラメータは、該発生機に直接働きかけるか、その上に配置されたボタンまたはポテンショメータを作動させることにより変更される。
【０００７】
このタイプの手順の最中には、ユーザーはアイロンを置くか、片方の手でアイロンを保持して他方の手で発生器のパラメータを変更する必要がある。全ての場合において、この種の処理は厄介であり、実際に危険ですらある。
【０００８】
これらの欠点を回避するために、より一般的には、アイロンから直接基部を制御するために、追加の電線をコードに追加することができ、この電線は、基部とアイロン間のデータ送信、一般的には双方向データ送信を提供するのに適している。
【０００９】
特許文献１および特許文献２は、コードがデータ送信線を含むアイロン掛けシステムについて記載している。
【００１０】
上記のシステムは正しく動作するが、３組の導線の存在と、場合によっては蒸気を送るホースの存在とを、未だに必要とする。
【００１１】
このタイプの構成においては、コードは比較的太く、嵩張り、かなり剛性が高い。これらの特徴は、アイロンの取り扱いを損なう影響がある。
【先行技術文献】
【特許文献】
【００１２】
【特許文献１】ＥＰ  １  ８１５  ０５６  Ｂ１
【特許文献２】ＵＳ  ２００９／０８４００７
【発明の概要】
【００１３】
本発明は、上記の欠点を克服することを可能にする。
この目的を達成するために、本発明は、請求項に定義されているような家庭用電気システムおよび使用に関する。
【００１４】
本発明は、このように家庭用電気システムに関するものであって、例えばアイロン掛け用であり、コードによって基部（Ｂａｓｅ）に接続されたアイロンなどの機器を含み、該コードは、少なくとも、下記から構成され；
・加熱電力のＨＶ送電のための第１導線セットによって形成される第１電線、
・機器内に配置された回路基板への電力のＬＶ供給のための第２導線セットによって形成された第２電線、
・基部と機器間の双方向データ送信を提供するための第３電線；
第３電線が第２導線セットによって形成されていることを特徴とし；該システムは、第２電線と第３電線、または排他的に第３電線を作動させるために、第２導線セットを通る電圧および／または電流を変調することに適した変調器をさらに含む。
【００１５】
第２電線と第３電線が同じ導線セットを使用しているという事実は、コードの直径、したがってバルク、およびその剛性を小さくすることを可能にする。
【００１６】
変調器は、例えば下記：１２Ｖ＝１、０Ｖ＝０のように生成された、例えば連続ビットのように、データのデジタル送信を可能にするように設計されていることが好ましい。
【００１７】
本発明の一形態によれば、基部は蒸気発生器を備える。この構成においては、コードはアイロンに蒸気を供給する為の柔軟なホースを備えている。
【００１８】
代わりにまたは追加して、基部は液体タンクを含んでもよい。この構成においては、コードは液体が流れることができる柔軟なホースを備える。
【００１９】
本発明はまた、上記で定義されたような家庭用電気システムの使用に関するものであり、データが変調器の手段によって基部から機器へ、およびその逆に送信されることを特徴としている。
【００２０】
本発明は、該機器内でＬＶに変換されることを要するＨＶ無しで、機器の電子機器に電力を供給することを可能にする。本発明の文脈において、この変換は基部で実行され、好ましくはプリント回路基板（ＰＣＢ）および電流リミッターの手段による。データを送信するために、基部は情報のアイテムを、上記で示されたように電圧を変調することにより送信する。機器、例えばアイロン（図１参照）が、その時に「応答」し、基部に注文を出す。応答段階の最中では、アイロン内に配置された電源、例えばバッテリーやキャパシタによって、アイロンの回路基板に電力が供給される。
【００２１】
第２導線セットを通したデータの送信（第３電線のアクティブ化）段階の最中では、「０」状態は、たとえば電圧を遮断することによって達成され、一方、「１」状態はＬＶ（たとえば、１２Ｖまたは５Ｖ）の維持によって達成される。
【００２２】
図１は、第２導線セットに沿った、第２および第３電線の動作モードを示している。
【００２３】
典型的な手順は次のように行われる。
１．一定時間通信が行われていないアイロンの回路基板への継続的な電力供給（第２電線がアクティブ化）
２．基部による通信の開始（第３電線のアクティブ化、第２電線は継続してアクティブ）
３．通信が正しく受信されると、アイロンは直接応答する（第３電線のアクティブ化、第２電線の非アクティブ化）
４．上記のステップ１からの新しいサイクルの開始。
【００２４】
図２および図３は、アイロン掛けの分野に適用された場合の、本発明に係るシステムで使用される電子回路の例を示している。図２は基部の回路を示し、図３はアイロンの回路を示している。
【００２５】
基部（図２）では、電流リミッターが第２導線セット（第２電線と第３電線）と共に使用される。
データの送信中、リミッターは「０」状態の送信に対してのみアクティブである。
【００２６】
状態の送信の為に、アイロンと基部は同じように動作する。
「０」状態の送信＝短絡（つまり０Ｖ）
「１」状態の送信＝Ｑ１またはＱ９が開いている（例えば５Ｖまたは１２Ｖ）。
【００２７】
受信する為に、アイロンと基部は同じように動作する。
コンパレータが、ラインのレベルが「高」（＝「１」）か「低」（「０」）のどちらであるのかを検出する。
アイロン内では、「ＩＲＯＮ電力供給」部が、通信中には、キャパシタＣ２６がライン短絡を介して放電しないことを保証する。
【００２８】
ＨＶは、基部またはアイロンによって制御されてもよい。
【００２９】
蒸気発生器は、より一般的には基部は、アイロン上、例えばハンドル上のみでの行為によって制御されてもよい。
【産業上の利用可能性】
【００３０】
本発明が上述のシナリオに限定されないことは言うまでもない。
本発明は、示されたように、アイロン掛けシステムまたは蒸気発生システムに限定されないが、コードによって基部に接続された機器を備え、少なくとも２つの導体セットがあり、そのうちの少なくとも１つが基部と機器間の双方向通信を提供し、如何なる家庭用電気システムをもカバーする。
【図面の簡単な説明】
【００３１】
【図１】図１は、第２導線セットに沿った、第２および第３電線の動作モードを示している。
【図２】アイロン掛けの分野に適用された場合の、本発明に係るシステムで使用される電子回路のうち、図２は基部の回路を示している。
【図３】アイロン掛けの分野に適用された場合の、本発明に係るシステムで使用される電子回路のうち、図３はアイロンの回路を示している。
【図１】
2020531208.tif 000003
【図２】
2020531208.tif 000004
【図３】
2020531208.tif 000005
【国際調査報告】
2020531208.tif 000006
2020531208.tif 000007
2020531208.tif 000008
2020531208.tif 000009